(57)【要約】【課題】簡易な構成で用紙に適切に糊付け可能な糊付け装置を提供する。【解決手段】糊付け装置１４において、第２用紙載置台６０は、糊付けローラ１２０と共に用紙を挟持する。駆動機構４４は、糊付けローラ１２０および第２用紙載置台６０がそれらの間に送り込まれた用紙を挟持するよう糊付けローラ１２０を進行させる。筐体３８は、第２用紙載置台６０を回動可能に支持する。糊付けローラ１２０は、用紙の挟持開始後さらに糊付けローラ１２０が進行したときに、第２用紙載置台６０に与える抗力によって第２用紙載置台６０を回動させながら、第２用紙載置面６０ａに沿って糊シートの裏面上を走行するよう設けられる。駆動機構４４は、用紙の挟持開始後さらに糊付けローラ１２０を進行させることにより、糊シートの裏面上を糊付けローラ１２０に走行させて糊シートの糊付着面を用紙に押し付け、用紙に糊を転写させる。【選択図】図３
2011136821.tif 000002
【特許請求の範囲】
【請求項１】
一方の面に糊が付着された糊シートの糊付着面の裏面と接する糊付けヘッドと、
前記糊付けヘッドと共に用紙を挟持する挟持部材と、
前記糊付けヘッドおよび前記挟持部材がそれらの間に送り込まれた用紙を挟持するよう前記糊付けヘッドまたは前記挟持部材を進行させる駆動機構と、
を備え、
前記糊付けヘッドは、用紙の挟持開始後さらに前記糊付けヘッドまたは前記挟持部材が進行したときに、前記挟持部材との間に互いに発生する抗力によって前記挟持部材の表面に沿って前記糊シートの裏面上を走行するよう設けられ、
前記駆動機構は、用紙の挟持開始後さらに前記糊付けヘッドまたは前記挟持部材を進行させることにより、前記糊シートの裏面上を前記糊付けヘッドに走行させて前記糊シートの糊付着面を用紙に押し付け、用紙に糊を転写させることを特徴とする糊付け装置。
【請求項２】
前記挟持部材を回動可能に支持する筐体をさらに備え、
前記糊付けヘッドは、用紙の挟持開始後さらに前記糊付けヘッドまたは前記挟持部材が進行したときに、前記挟持部材に与える抗力によって前記挟持部材を回動させながら、前記挟持部材の表面に沿って前記糊シートの裏面上を走行するよう設けられることを特徴とする請求項１に記載の糊付け装置。
【請求項３】
前記挟持部材は平面状の挟持面を有し、
前記糊付けヘッドは、用紙の挟持開始後さらに前記糊付けヘッドまたは前記挟持部材が進行したときに、前記挟持面に沿って前記糊シートの裏面上を走行するよう設けられ、
前記駆動機構は、前記挟持部材が未回動のときの前記挟持面に、前記挟持部材の回動軸から離間するほど近づくよう傾斜する方向に、前記糊付けヘッドまたは前記挟持部材を進行させることを特徴とする請求項２に記載の糊付け装置。
【請求項４】
前記挟持部材を保持する保持機構と、
用紙を押さえつける用紙押さえ部材と、
をさらに備え、
前記駆動機構は、用紙の挟持開始後さらに前記糊付けヘッドまたは前記挟持部材を進行させた後、用紙の挟持を解除させるよう前記糊付けヘッドまたは前記挟持部材を退避させ、
前記保持機構は、前記糊付けヘッドまたは前記挟持部材が退避するときに、所定の保持位置で前記挟持部材を保持し、
前記用紙押さえ部材は、前記糊シートから用紙を剥がすよう、前記保持位置に保持された前記挟持部材に用紙を押さえつけることを特徴とする請求項２または３に記載の糊付け装置。
【請求項５】
前記保持機構は、前記糊付けヘッドまたは前記挟持部材が所定位置まで退避したときに、その退避動作に連動して前記挟持部材の保持を解除することを特徴とする請求項４に記載の糊付け装置。
【請求項６】
前記筐体に設けられた位置決め部材に突き当てて所定の初期位置に位置させるよう前記挟持部材に付勢力を与える付勢部材と、
前記挟持部材が前記保持位置から前記初期位置へ戻るときの前記挟持部材の移動速度を緩める緩衝手段と、
をさらに備えることを特徴とする請求項５に記載の糊付け装置。
【請求項７】
前記糊付けヘッドを回動可能に支持する支持部材をさらに備え、
前記駆動機構は、前記糊付けヘッドおよび前記挟持部材がそれらの間に送り込まれた用紙を挟持するよう前記糊付けヘッドまたは前記挟持部材を進行させるよう設けられ、
前記糊付けヘッドは、用紙の挟持開始後さらに前記糊付けヘッドまたは前記挟持部材が進行したときに、前記挟持部材から与えられる抗力によって前記支持部材に対して回動しながら、前記挟持部材の表面に沿って前記糊シートの裏面上を走行するよう設けられることを特徴とする請求項１に記載の糊付け装置。
【請求項８】
前記糊付けヘッドおよび前記挟持部材が用紙を挟持してから次に用紙を挟持するまでの間に、前記糊シートのうち前記糊付けヘッドに当接する部分の糊付着面に糊が未転写の部分が含まれるよう前記糊シートを送る予備送り機構をさらに備えることを特徴とする請求項１から７のいずれかに記載の糊付け装置。
【請求項９】
前記糊付けヘッドと前記挟持部材との間に用紙を送り込む用紙搬入機構と、
前記糊付けヘッドと前記挟持部材との間に送り込まれた用紙の端部が当接するストッパと、
複数の用紙を含む冊子を作成する製本要求を取得する製本要求取得部と、
をさらに備え、
前記用紙搬入機構は、製本要求が取得された場合、作成する冊子に含ませるべき用紙を前記糊付けヘッドと前記挟持部材との間に送り込んだ後、作成する冊子に含ませるべき次の用紙を、すでに送り込まれた用紙と前記糊付けヘッドとの間に送り込むよう設けられ、
前記駆動機構は、製本要求が取得された場合、送り込まれた用紙の端部が前記ストッパに当接するたびに、その用紙に糊を転写させるよう前記糊付けヘッドまたは前記挟持部材を進行させることを特徴とする請求項１から８のいずれかに記載の糊付け装置。
【請求項１０】
少なくとも一方に糊が転写された複数の用紙を挟持して圧着させる圧着処理を実行する圧着機構と、隣接する用紙同士の
前記糊付けヘッドと前記挟持部材との間に送り込まれた複数の用紙を前記圧着機構に送り出す用紙搬出機構と、
をさらに備え、
前記駆動機構は、製本要求が取得された場合、作成すべき冊子に含ませるべき複数の用紙のうち最後に送り込まれた最終用紙への糊の転写を回避するよう、前記糊付けヘッドまたは前記挟持部材の進行を回避し、
前記用紙搬出機構は、前記最終用紙が送り込まれた後、前記糊付けヘッドと前記挟持部材との間に蓄積された複数の用紙を前記圧着機構に送り出し、
前記圧着機構は、送り込まれた複数の用紙に前記圧着処理を実行することを特徴とする請求項９に記載の糊付け装置。
【請求項１１】
前記用紙搬出機構は、前記糊付けヘッドと前記挟持部材との間に蓄積された複数の用紙の端部を押すプッシャを有し、
前記プッシャは、前記糊付けヘッドと前記挟持部材との間に蓄積された複数の用紙を圧着機構に送り出すことを特徴とする請求項１０に記載の糊付け装置。
【請求項１２】
作成された冊子の表面に糊付けされた個所を示す目印が付されるよう用紙に目印を付ける目印付与手段をさらに備えることを特徴とする請求項９から１０のいずれかに記載の糊付け装置。
【請求項１３】
前記用紙搬入機構は、用紙が積載される給紙トレイと、前記給紙トレイの最下位の用紙を１枚ずつ送り出す用紙送り出し機構と、を備えることを特徴とする請求項９から１２のいずれかに記載の糊付け装置。
【請求項１４】
前記糊付けヘッドと前記挟持部材との間への用紙の搬入を検知する用紙センサをさらに備え、
前記駆動機構は、用紙の搬入が検知されたときに、前記糊付けヘッドまたは前記挟持部材を進行させることにより用紙に糊を転写させることを特徴とする請求項１に記載の糊付け装置。
【請求項１５】
一方の面に糊が付着された糊シートの糊付着面の裏面と接する糊付けヘッドと、
前記糊付けヘッドを回動可能に支持する支持部材と、
を備え、
前記糊付けヘッドは、用紙載置面に載置された用紙に接触後さらに前記支持部材が用紙に向けて押し付けられたときに、前記用紙載置面からの抗力によって前記支持部材に対して回動しながら、前記用紙載置面の表面に沿って前記糊シートの裏面上を走行するよう設けられることを特徴とする糊付け装置。
【発明の詳細な説明】
【技術分野】
【０００１】
本発明は、糊付け装置に関し、特に、糊シートを用いた糊付け装置に関する。
【背景技術】
【０００２】
基材シートの片面に糊が付着されている糊シートが知られている。この糊シートの糊付着面を糊付けしたい個所に押し付けることで用紙などに糊付けすることができる。ここで、用紙に糊シートを押し付けることにより、糊シートを巻き取って未転写の糊シートを押し付け可能とする接着剤ディスペンサが提案されている（例えば、特許文献１参照）。
【先行技術文献】
【特許文献】
【０００３】
【特許文献１】特表平６−５１０２６７号公報
【発明の概要】
【発明が解決しようとする課題】
【０００４】
上述の特許文献に記載される技術では、広い領域に糊付けしたい場合は押圧面を広くとる必要があるが、押圧面を広くすることによって糊シートを押し付ける圧力が低下するおそれがある。このため、糊の良好な転写を維持するために糊シートを強い力で用紙に押し付ける必要が生じる。しかしながら、このような押し付け力の増大は、糊シートを押し付けるユーザまたは押し付け機構などに負担に繋がり、ユーザの作業労力の軽減または装置の信頼性の維持が困難となる。
【０００５】
本発明はこのような問題に鑑みてなされたものであり、その目的は、簡易な構成で用紙に適切に糊付け可能な糊付け装置を提供することにある。
【課題を解決するための手段】
【０００６】
上記課題を解決するために、本発明のある態様の糊付け装置は、一方の面に糊が付着された糊シートの糊付着面の裏面と接する糊付けヘッドと、糊付けヘッドと共に用紙を挟持する挟持部材と、糊付けヘッドおよび挟持部材がそれらの間に送り込まれた用紙を挟持するよう糊付けヘッドまたは挟持部材を進行させる駆動機構と、を備える。糊付けヘッドは、用紙の挟持開始後さらに糊付けヘッドまたは挟持部材が進行したときに、挟持部材との間に互いに発生する抗力によって挟持部材の表面に沿って糊シートの裏面上を走行するよう設けられてもよい。駆動機構は、用紙の挟持開始後さらに糊付けヘッドまたは挟持部材を進行させることにより、糊シートの裏面上を糊付けヘッドに走行させて糊シートの糊付着面を用紙に押し付け、用紙に糊を転写させる。
【０００７】
この態様によれば、挟持する面積が小さくても糊付けヘッドに糊シートの裏面上を走行させることによって、広い面積を糊付けすることができる。このため、挟持力を抑制しつつ適切に用紙に糊を転写することができる。なお、糊付けヘッドは、糊シートの裏面に外周が接し、糊シートの裏面上を転動して走行可能な糊付けローラを含んでいてもよい。
【０００８】
挟持部材を回動可能に支持する筐体をさらに備えてもよい。糊付けヘッドは、用紙の挟持開始後さらに糊付けヘッドまたは挟持部材が進行したときに、挟持部材に与える抗力によって挟持部材を回動させながら、挟持部材の表面に沿って糊シートの裏面上を走行するよう設けられてもよい。
【０００９】
この態様によれば、挟持部材を回動させるという簡易な構成によって、糊付けヘッドまたは挟持部材の進行動作を、糊付けヘッドの走行動作に変換することができる。このため、例えば糊付けヘッドをその進行方向以外の方向にも移動させる機構を別途設けることにより糊付けヘッドを走行させる場合に比べ、構成を簡素にすることができ、低コストの糊付け装置を提供することができる。
【００１０】
挟持部材は平面状の挟持面を有してもよい。糊付けヘッドは、用紙の挟持開始後さらに糊付けヘッドまたは挟持部材が進行したときに、挟持面に沿って糊シートの裏面上を走行するよう設けられてもよい。駆動機構は、挟持部材が未回動のときの挟持面に、挟持部材の回動軸から離間するほど近づくよう傾斜する方向に、糊付けヘッドまたは挟持部材を進行させてもよい。
【００１１】
この態様によれば、糊付けヘッドまたは挟持部材の進行距離に対する糊付けヘッドの走行距離を長くすることができる。このため、糊付けヘッドまたは挟持部材の進行距離を抑制することができ、装置の大型化を回避することができる。
【００１２】
挟持部材を保持する保持機構と、用紙を押さえつける用紙押さえ部材と、をさらに備えてもよい。駆動機構は、用紙の挟持開始後さらに糊付けヘッドまたは挟持部材を進行させた後、用紙の挟持を解除させるよう糊付けヘッドまたは挟持部材を退避させ、保持機構は、糊付けヘッドまたは挟持部材が退避するときに、所定の保持位置で挟持部材を保持し、用紙押さえ部材は、糊シートから用紙を剥がすよう、保持位置に保持された挟持部材に用紙を押さえつけてもよい。
【００１３】
この態様によれば、用紙に糊シートを押し付けたあと、糊シートを用紙から適切に剥がして用紙に糊を転写させることができる。
【００１４】
保持機構は、糊付けヘッドまたは挟持部材が所定位置まで退避したときに、その退避動作に連動して挟持部材の保持を解除してもよい。
【００１５】
この態様によれば、糊付けヘッドまたは挟持部材を退避させることで挟持部材の保持も解除することができる。このため、例えば退避動作に連動せず挟持部材の保持を解除する場合に比べ、装置の構成や制御などを簡素にすることができる。
【００１６】
筐体に設けられた位置決め部材に突き当てて所定の初期位置に位置させるよう挟持部材に付勢力を与える付勢部材と、挟持部材が保持位置から初期位置へ戻るときの挟持部材の移動速度を緩める緩衝手段と、をさらに備えてもよい。
【００１７】
挟持部材が付勢部材によって初期位置に戻る方向に付勢されている場合、保持が解除されるとその付勢力によって初期位置に戻ろうとして挟持部材が加速し、初期位置において位置決めされるときに、装置に衝撃を与えたり、騒音を発生させる虞がある。この態様によれば、挟持部材の移動速度を緩めることができるため、挟持部材の保持を解除するときの衝撃や騒音を緩和することができる。
【００１８】
糊付けヘッドを回動可能に支持する支持部材をさらに備えてもよい。駆動機構は、糊付けヘッドおよび挟持部材がそれらの間に送り込まれた用紙を挟持するよう糊付けヘッドまたは挟持部材を進行させるよう設けられてもよい。糊付けヘッドは、用紙の挟持開始後さらに糊付けヘッドまたは挟持部材が進行したときに、挟持部材から与えられる抗力によって支持部材に対して回動しながら、挟持部材の表面に沿って糊シートの裏面上を走行するよう設けられてもよい。
【００１９】
このように糊付けヘッドが回動する態様においても、糊付けヘッドを糊シートの裏面に沿って走行させることができる。
【００２０】
糊付けヘッドおよび挟持部材が用紙を挟持してから次に用紙を挟持するまでの間に、糊シートのうち糊付けヘッドに当接する部分の糊付着面に糊が未転写の部分が含まれるよう糊シートを送る予備送り機構をさらに備えてもよい。
【００２１】
糊シートの糊付着面を用紙に押し付けた後糊シートを用紙から剥がすと、糊シートは糊が転写されるためその部分の粘着力が低下する。このまま次の用紙に糊シートを押し付けて糊付けヘッドを糊シートの裏面上を走行させようとすると、用紙と糊シートとの間の摩擦力が低下して糊シートが用紙に対してスリップし、糊付けヘッドとともに糊シートが移動して糊シートの裏面上を糊ヘッドが走行できなくなる可能性がある。このように糊シートが糊付けヘッドと共に移動すると、糊シートの糊転写済みの表面が用紙上を摺動するだけで糊シートの糊未転写部分を用紙に押し付けることが困難となる。この態様によれば、糊シートのうち糊が未転写の部分を用紙にまず押し付けることができるため、糊シートと用紙との間の摩擦力を確保することができる。このため、糊付けヘッドを走行させるときの糊シートの摺動を抑制でき、糊付けヘッドに糊シートの裏面上を良好に走行させることができる。
【００２２】
糊付けヘッドと挟持部材との間に用紙を送り込む用紙搬入機構と、糊付けヘッドと挟持部材との間に送り込まれた用紙の端部が当接するストッパと、複数の用紙を含む冊子を作成する製本要求を取得する製本要求取得部と、をさらに備えてもよい。用紙搬入機構は、製本要求が取得された場合、作成する冊子に含ませるべき用紙を糊付けヘッドと挟持部材との間に送り込んだ後、作成する冊子に含ませるべき次の用紙を、すでに送り込まれた用紙と糊付けヘッドとの間に送り込むよう設けられてもよい。駆動機構は、製本要求が取得された場合、送り込まれた用紙の端部がストッパに当接するたびに、その用紙に糊を転写させるよう糊付けヘッドまたは挟持部材を進行させてもよい。
【００２３】
この態様によれば、このような糊付けを繰り返すことによって冊子を作成することができる。さらに、搬入された用紙に糊シートを押し付けることによって、用紙への糊付けとともに糊付けした用紙と挟持部材との間の用紙を互いに圧着させることができる。
【００２４】
隣接する用紙同士の少なくとも一方に糊が転写された複数の用紙を挟持して圧着させる圧着処理を実行する圧着機構と、糊付けヘッドと挟持部材との間に送り込まれた複数の用紙を圧着機構に送り出す用紙搬出機構と、をさらに備えてもよい。駆動機構は、製本要求が取得された場合、作成すべき冊子に含ませるべき複数の用紙のうち最後に送り込まれた最終用紙への糊の転写を回避するよう、糊付けヘッドまたは挟持部材の進行を回避し、用紙搬出機構は、最終用紙が送り込まれた後、糊付けヘッドと挟持部材との間に蓄積された複数の用紙を圧着機構に送り出し、圧着機構は、送り込まれた複数の用紙に圧着処理を実行してもよい。
【００２５】
この態様によれば、冊子の表紙の外側の面に糊付けすることを回避できる。なお、「圧着手段」は、複数の用紙を挟持しながら搬送する一対のローラであってもよく、また、用紙載置面に載置された複数の用紙を押圧する押圧部材であってもよい。
【００２６】
用紙搬出機構は、糊付けヘッドと挟持部材との間に蓄積された複数の用紙の端部を押すプッシャを有してもよい。プッシャは、糊付けヘッドと挟持部材との間に蓄積された複数の用紙を圧着機構に送り出してもよい。
【００２７】
この態様によれば、まだ圧着されていない用紙が他の用紙と搬送中にずれる事態を回避することができる。このため、用紙がずれて圧着された冊子の作成を回避でき、品質の高い冊子を作成できる。
【００２８】
作成された冊子の表面に糊付けされた個所を示す目印が付されるよう用紙に目印を付ける目印付与手段をさらに備えてもよい。
【００２９】
例えば、綴じ針を用いて複数の用紙の各々に対し小口となる端縁周辺を綴じて製本する平綴じ製本や、複数の用紙の各々に対し１つのコーナー部周辺を綴じて製本する肩綴じ製本を実行する場合、綴じ針が冊子の表面に表れるので、ユーザはどこで綴じられているかを容易に判別することができる。しかしながら、糊で複数の用紙を固着して平綴じ製本や肩綴じ製本を実行する場合、冊子表面に綴じ個所を示すものが存在しないため、作成された冊子がどこで綴じられているかをユーザが判別することは困難である。このように綴じ個所が正確に把握されないと、綴じられた側からユーザが冊子を開こうとすることによって冊子にダメージを与える可能性がある。この態様によれば、糊を用いて平綴じ製本や肩綴じ製本を実行して冊子を作成した場合においても、ユーザは綴じられた個所を容易に視認することができる。このため、冊子を開くべき方向の誤認を低減させることができ、取り扱い時の冊子のダメージを抑制することができる。
【００３０】
用紙搬入機構は、用紙が積載される給紙トレイと、給紙トレイの最下位の用紙を１枚ずつ送り出す用紙送り出し機構と、を備えてもよい。
【００３１】
この態様によれば、作成すべき冊子と同じ順序で用紙を並べた状態で用紙を積載させることができる。このため、糊付けして製本すべき複数の用紙の準備を容易にすることができる。
【００３２】
糊付けヘッドと挟持部材との間への用紙の搬入を検知する用紙センサをさらに備えてもよい。駆動機構は、用紙の搬入が検知されたときに、糊付けヘッドまたは挟持部材を進行させることにより用紙に糊を転写させてもよい。
【００３３】
この態様によれば、１枚の用紙に簡易に糊付けすることができる。このため、例えば糊付けした用紙を壁などに一時的に貼り付けるなどの用途にこの糊付け装置を利用することが可能となる。また、例えば封筒の折り返し部分の糊付けなどにもこの糊付け装置を利用することが可能となる。
【００３４】
本発明の別の態様もまた、糊付け装置である。この装置は、一方の面に糊が付着された糊シートの糊付着面の裏面と接する糊付けヘッドと、糊付けヘッドを回動可能に支持する支持部材と、を備える。糊付けヘッドは、用紙載置面に載置された用紙に接触後さらに支持部材が用紙に向けて押し付けられたときに、用紙載置面からの抗力によって支持部材に対して回動しながら、用紙載置面の表面に沿って糊シートの裏面上を走行するよう設けられる。
【００３５】
この態様によれば、挟持する面積が小さくても糊付けヘッドに糊シートの裏面上を走行させることによって、広い面積を糊付けすることができる。このため、挟持力を抑制しつつ適切に糊を用紙の転写することができ、コストの抑制および信頼性の向上が可能な糊付け装置を提供することができる。
【発明の効果】
【００３６】
本発明によれば、簡易な構成で用紙に適切に糊付け可能な糊付け装置を提供することができる。
【図面の簡単な説明】
【００３７】
【図１】第１の実施形態に係る製本システムの正面図である。
【図２】第１の実施形態に係る給紙装置の正面図である。
【図３】第１の実施形態に係る糊付け装置の正面図である。
【図４】第１の実施形態に係る糊付けユニットの正面図である。
【図５】（ａ）は、用紙押し付け機構の正面図であり、（ｂ）は用紙押し付け機構の上面図であり、（ｃ）は、挿入孔の形状を示す図である。
【図６】（ａ）は、通常時の第２用紙載置台および回動機構の正面図であり、（ｂ）は、第２用紙載置台が回動したときの第２用紙載置台および回動機構の正面図である。
【図７】糊付けユニットが退避位置にあるときの糊付け装置の正面図である。
【図８】押し付け面が用紙に当接するまで糊付けユニットを進行させたときの糊付け装置の正面図である。
【図９】糊付けローラと第２用紙載置台によって用紙の挟持が開始されたときの糊付け装置の正面図である。
【図１０】用紙の挟持開始位置よりさらに糊付けユニットを進行させたときの糊付け装置の正面図である。
【図１１】糊付けユニットの退避が開始され、第２用紙載置台が保持位置で保持されたときの糊付け装置の正面図である。
【図１２】第２用紙載置台が保持位置に保持されたまま糊付けユニットをさらに退避させたときの糊付け装置の正面図である。
【図１３】図１２の状態からさらに糊付けユニットを退避させたときの糊付け装置の正面図である。
【図１４】第２用紙載置台の保持が解除されたときの糊付け装置の正面図である。
【図１５】製本システムによる製本処理の実行手順を示すフローチャートである。
【図１６】第２の実施形態に係る糊付け装置の正面図である。
【図１７】第３の実施形態に係る製本システムの正面図である。
【図１８】第３の実施形態に係る製本システムによって作成された冊子を示す図である。
【図１９】第４の実施形態に係る製本システムの正面図である。
【図２０】（ａ）および（ｂ）は、第４の実施形態に係る圧着機構の構成および動作を示す図である。
【図２１】（ａ）および（ｂ）は、第５の実施形態に係る圧着機構の構成および動作を示す図である。
【図２２】第５の実施形態に係る製本システムによって作成された冊子を示す図である。
【図２３】（ａ）および（ｂ）は、第６の実施形態に係る圧着機構の構成および動作を示す図である。
【図２４】第６の実施形態に係る製本システムによって作成された冊子を示す図である。
【図２５】第７の実施形態に係る製本システムの正面図である。
【図２６】図２５の視点Ｐから切り落とし機構を見た図である。
【図２７】第７の実施形態に係る製本システムによって作成された冊子を示す図である。
【図２８】第８の実施形態に係る糊付け装置の正面図である。
【発明を実施するための形態】
【００３８】
以下、図面を参照して本発明の実施の形態（以下、実施形態という）について詳細に説明する。
【００３９】
（第１の実施形態）
図１は、第１の実施形態に係る製本システム１０の正面図である。製本システム１０は、給紙装置１２、糊付け装置１４、およびシステム制御部１６を有する。理解を容易にするため、給紙装置１２、および糊付け装置１４は表面のカバーの図示を省略している。
【００４０】
給紙装置１２は、冊子に含ませるべき複数の用紙を一枚ずつ分離して糊付け装置１４に送り出す。糊付け装置１４は、給紙装置１２から送り込まれた用紙に糊付けして冊子を作成する。システム制御部１６は、各種の演算を実行するＣＰＵ、各種の制御プログラムを格納するＲＯＭ、およびデータ格納やプログラム実行のためのワークエリアとして利用されるＲＡＭを有する。システム制御部１６は、給紙装置１２および糊付け装置１４の内部に設けられたアクチュエータの作動を制御する。
【００４１】
図２は、第１の実施形態に係る給紙装置１２の正面図である。給紙装置１２は、給紙トレイ２０、用紙分離機構２２、および筐体３０を有する。給紙トレイ２０は平板状に形成され、用紙搬送方向下流側（以下、「下流側」という）に進むにしたがって低くなるよう傾斜した状態で筐体３０に固定されている。
【００４２】
用紙分離機構２２は、分離ローラ２４、押圧部材２６、および付勢部材であるコイルスプリング２８を有する。分離ローラ２４は給紙トレイ２０の下流側端部の下方に配置される。押圧部材２６はブロック状に形成され、給紙トレイ２０の下流側端部の上方に配置される。筐体３０は、上部に支持プレート３２を有し、この支持プレート３２と押圧部材２６との間にコイルスプリング２８が配置される。コイルスプリング２８は、分離ローラ２４に向かう方向への付勢力を押圧部材２６に与える。押圧部材２６のうち分離ローラ２４に対向する個所には分離パッド３４が設けられており、分離パッド３４は、コイルスプリング２８の付勢力により分離ローラ２４に押し付けられる。
【００４３】
分離ローラ２４は、伝達機構（図示せず）を介してモータ（図示せず）に接続されている。システム制御部１６は、用紙を搬送するときにこのモータを回転させて分離ローラ２４を回転させ、給紙トレイ２０に積載された用紙のうち最下位の用紙を分離ローラ２４と分離パッド３４によって分離して一枚ずつ糊付け装置１４に送り出す。なお、給紙装置１２は、積載された用紙のうち最上位の用紙を送り出すよう設けられてもよい。また、給紙装置１２は、送り出した用紙を反転させる用紙反転機構を設けてもよい。
【００４４】
図３は、第１の実施形態に係る糊付け装置１４の正面図である。糊付け装置１４は、糊付けユニット４０、ガイド機構４２、駆動機構４４、用紙押し付け機構４６を備える。
【００４５】
図４は、第１の実施形態に係る糊付けユニット４０の正面図である。糊付けユニット４０は、支持ブラケット１１０、送り出しリール１１２、巻き取りリール１１４、および糊付けヘッド１１６を有する。支持ブラケット１１０は平面部を有し、この平面状に送り出しリール１１２、巻き取りリール１１４、および糊付けヘッド１１６が取り付けられる。
【００４６】
送り出しリール１１２は、支持ブラケット１１０に回転可能に支持される。送り出しリール１１２には、糊シート１１８が予め巻回されている。糊シート１１８は、帯状に形成された基材シートの一方の面に糊が付着されて構成されている。この「糊」は広義の糊を意味し、各種合成樹脂系の接着剤をも含みうる。具体的には、基材シートは剥離性を有し、この基材シートに、円形や四角形からなるドット状の糊セグメントが付着している。糊セグメントは、剥離の影響を他に与えることを回避すべく、所定の間隙を空けて基材シートの幅方向および長さ方向にそれぞれ複数設けられる。
【００４７】
巻き取りリール１１４は、送り出しリール１１２の下流側おいて支持ブラケット１１０に回転可能に支持される。糊付けヘッド１１６は、糊付けローラ１２０を有する。糊付けローラ１２０は、送り出しリール１１２と巻き取りリール１１４との間且つこれらより下方おいて、支持ブラケット１１０に回転可能に支持されている。送り出しリール１１２の下方には、支持ブラケット１１０に回転可能に支持された引き回しローラ１２２が設けられている。送り出しリール１１２に巻回された糊シート１１８は、引き回しローラ１２２および糊付けローラ１２０に接するよう引き回され、端部が巻き取りリール１１４に固定される。こうして糊付けローラ１２０は、一方の面に糊が付着された糊シート１１８の糊付着面１１８ａの裏面１１８ｂと接する。
【００４８】
送り出しリール１１２の装置後方には、プーリ１２４が同軸に設けられている。巻き取りリール１１４の装置後方には、プーリ１２６が同軸に設けられている。プーリ１２４とプーリ１２６には、ベルト１２８がかけられている。後述するように糊付けローラ１２０を用紙に押し付けて糊シート１１８の裏面１１８ｂ上を転動させて走行させると、送り出しリール１１２から糊シート１１８が送り出される。このときの送り出しリール１１２の駆動力がベルト１２８およびプーリ１２６を介して巻き取りリール１１４にも伝達し、巻き取りリール１１４が回転して糊シート１１８を巻き取る。
【００４９】
なお、送り出しリール１１２から送り出される長さより長く糊シート１１８が巻き取りリール１１４によって巻き取られることを回避するため、所定のトルクが与えられたときプーリ１２６とベルト１２８、またはプーリ１２４とベルト１２８とが互いに摺動するよう設けられている。このため、プーリ１２６、プーリ１２４、ベルト１２８は、トルクリミッター機能を有する巻き取り機構としても機能する。これにより、緩みの発生を回避しつつ適切に糊シート１１８を巻き取り可能となっている。プーリ１２４には、予備送りギヤ１２９が同軸に固定されている。
【００５０】
図５（ａ）は、用紙押し付け機構４６の正面図であり、図５（ｂ）は用紙押し付け機構４６の上面図である。用紙押し付け機構４６は、中継ブラケット１３０、回動軸１３２、ブラケット１３４、コイルスプリング１３６、用紙押さえ部材１３８、および用紙ガイド１４４を有する。
【００５１】
中継ブラケット１３０は、板金がコ字状に曲げられることにより、連結部１３０ｂを介して２枚の側面部１３０ａが結合されるよう形成されている。側面部１３０ａの各々には挿入孔１３０ｆが設けられている。回動軸１３２は筐体３８に固定されており、この２つの挿入孔１３０ｆに挿入される。こうして中継ブラケット１３０は、筐体３８に対して回動可能に支持される。コイルスプリング１３６は、一端がこのブラケット１３４に取り付けられ、他端が筐体３８に近い側の側面部１３０ａの上流側端部に取り付けられる。
【００５２】
側面部１３０ａの各々の下流側端部近傍には、ピン１４２が設けられている。用紙押さえ部材１３８は板金がコ字状に折り曲げられて形成されている。両端の折り曲げ部１３８ａの各々には挿入孔１３８ｃが設けられており、この挿入孔１３８ｃの各々にピン１４２が挿入される。こうして両端の折り曲げ部１３８ａの間の底部１３８ｂが下方に位置するよう、用紙押さえ部材１３８が中継ブラケット１３０に支持される。このとき用紙押さえ部材１３８は、底部１３８ｂが挿入孔１３８ｃより下方において水平となるよう支持される。
【００５３】
底部１３８ｂには、下流側中央が切りかかれた切り欠き１３８ｄが設けられている。このため、底部１３８ｂはコ字状に形成される。底部１３８ｂの下面には、同様にコ字状の弾性部材１４０が貼り付けられている。第１の実施形態では弾性部材１４０はゴムによって形成されているが、弾性部材１４０の材料がこれに限られないことは勿論である。この弾性部材１４０の下面が、用紙を押し付ける押し付け面１４０ａとなる。また、弾性部材１４０に代えて、例えば布類などによって形成された緩衝部材が設けられてもよい。
【００５４】
用紙押さえ部材１３８は、コ字状の押し付け面１４０ａが糊転写領域Ｒ１を囲うように配置される。これにより、用紙の糊転写領域Ｒ１の用紙幅方向外側および上流側で用紙を押さえつけることが可能となり、糊シート１１８からの用紙の引き剥がしをより容易にすることができる。
【００５５】
上述のコイルスプリング１３６は、中継ブラケット１３０を時計回り方向に回動させて弾性部材１４０を上昇させるよう、中継ブラケット１３０に付勢力を与える。筐体３８にはストッパ（図示せず）が設けられており、中継ブラケット１３０は、コイルスプリング１３６の付勢力によってこのストッパに当接して初期位置に保持される。
【００５６】
一対の側面部１３０ａの各々には、後述するように付勢力が与えられる被押圧面１３０ｃが設けられている。中継ブラケット１３０は、この被押圧面１３０ｃに付勢力が与えられることにより、コイルスプリング１３６によって与えられる以上のトルクが与えられたときに、用紙押さえ部材１３８を下降させるよう回動軸１３２を中心に反時計回りに回動する。被押圧面１３０ｃの各々には、後述する挿入軸が挿入される挿入孔１３０ｄが設けられている。
【００５７】
中継ブラケット１３０は、用紙搬送方向上流側（以下、「上流側」という）に進むほど上昇するよう傾斜するガイド部１３０ｅを有する。このガイド部１３０ｅの表面に、薄い板金によって形成された用紙ガイド１４４が固定される。こうして中継ブラケット１３０に向かって送り込まれた用紙は、用紙ガイド１４４によって押し付け面１４０ａより下方に案内される。
【００５８】
図５（ｃ）は、挿入孔１３８ｃの形状を示す図である。用紙押さえ部材１３８は、第２用紙載置面６０ａと用紙２の挟持を開始後、第２用紙載置台６０の回動に伴って用紙２の押し付け位置を維持したまま回動する。このとき、中継ブラケット１３０の回転運動によってピン１４２が円弧状の軌跡を描きながら移動する。このため、挿入孔１３８ｃは、用紙搬送方向に延在し、また、上方が逆Ｖ型に切り欠かれた特殊孔となっている。挿入孔１３８ｃをこのような特殊孔とすることにより、用紙２を押し付けながらの回動と、ピン１４２の軌跡の両者に対応することが可能となる。
【００５９】
図３に戻る。ガイド機構４２は、ガイドロッド８８およびガイドブラケット９０を有する。ガイドロッド８８は、下流側に進むほど下がるよう傾斜して筐体３８に固定されている。ガイドブラケット９０は、このガイドロッド８８と摺動可能となるよう糊付けユニット４０の支持ブラケット１１０に固定される。これにより、ガイド機構４２は、ガイドロッド８８の延在方向に糊付けユニット４０を案内する。
【００６０】
駆動機構４４は、クランク８４およびコネクティングロッド８６を有する。クランク８４は円盤状に形成され、クランク８４の中心から外れた部分にコネクティングロッド８６の一端が回転可能に取り付けられている。コネクティングロッド８６の他端は糊付けユニット４０の支持ブラケット１１０に回転可能に取り付けられている。クランク８４はモータ（図示せず）に接続されている。システム制御部１６は、このモータを回転させることにより、クランク８４を回転させて糊付けユニット４０をガイド機構４２による案内方向に移動させる。
【００６１】
なお、このモータは、例えばステッピングモータなど、回転角度を制御可能なモータであってもよい。この場合、システム制御部１６は、例えばユーザの操作入力などによって、転写する糊の糊付けローラ１２０の走行方向の長さを取得する。システム制御部１６は、取得した転写長さの糊が用紙に転写されるようモータの回転角度を調整する。これにより、糊の転写長さを可変とすることができる。
【００６２】
押し付け面１４０ａが糊付けローラ１２０による糊転写個所周辺において用紙を押し付けることができるよう、押し付け面１４０ａを支持する中継ブラケット１３０は糊付けローラ１２０の周辺に配置される。糊付けユニット４０は、水平且つ用紙搬送方向と垂直な方向（以下、用紙幅方向という）に並ぶよう支持ブラケット１１０に固定された挿入軸４７Ａおよび挿入軸４７Ｂを有する。挿入軸４７Ａは、挿入軸４７Ｂよりも筐体３８に近い側に配置される。挿入軸４７Ａは、コイルスプリング４８Ａに挿入されてから、中継ブラケット１３０のうち筐体３８に近い側の被押圧面１３０ｃの挿入孔１３０ｄに挿入される。挿入軸４７Ｂは、コイルスプリング４８Ｂに挿入されてから、中継ブラケット１３０のうち筐体３８から遠い側の被押圧面１３０ｃの挿入孔１３０ｄに挿入される。
【００６３】
こうして糊付けユニット４０が下方に進行すると、中継ブラケット１３０に設けられた一対の被押圧面１３０ｃが、それぞれコイルスプリング４８Ａおよびコイルスプリング４８Ｂの付勢力によって、中継ブラケット１３０を反時計回りに回動させる方向に付勢力を与える。なお、第１の実施形態では、コイルスプリング４８Ａのバネ定数がコイルスプリング４８Ｂのバネ定数よりも高くなるようコイルスプリング４８Ａ、４８Ｂの各々が設けられている。上述のように、筐体３８に近い側の側面部１３０ａには、コイルスプリング１３６による引っ張り力が与えられている。このように筐体３８に近い側のコイルスプリング４８Ａのバネ定数を高く設定することにより、押し付け面１４０ａの押圧力の偏りを抑制することができる。なお、コイルスプリング４８Ａの長さがコイルスプリング４８Ｂの長さよりも短く形成されていてもよい。
【００６４】
糊付け装置１４は、搬入ローラ５０、第１用紙載置台５２、プッシャ５４、第２用紙載置台６０、回動機構６６をさらに備える。一対の搬入ローラ５０は、給紙装置１２から糊付け装置１４に送り込まれた用紙を、第１用紙載置台５２上、および糊付けローラ１２０と第２用紙載置台６０との間に送り込む用紙搬入機構として機能する。第２用紙載置台６０は、用紙押し付け機構４６の押し付け面１４０ａおよび糊付けユニット４０の糊付けローラ１２０の下方において上面である第２用紙載置面６０ａが水平となるよう配置される。第１用紙載置台５２は、第２用紙載置台６０の上流側において、上面である第１用紙載置面５２ａが第２用紙載置面６０ａと同一平面上に位置するよう筐体３８に固定されている。第１用紙載置台５２は、筐体３８に対して回動不能とされている。
【００６５】
第１用紙載置台５２の第１用紙載置面５２ａには逃げ孔（図示せず）が設けられている。プッシャ５４は、この逃げ孔から上方に突出するよう設けられている。プッシャ５４は、用紙搬送方向に移動可能に設けられている。またプッシャ５４は、ラック機構（図示せず）を介してモータに接続されている。システム制御部１６は、このモータを作動させることによりプッシャ５４を用紙搬送方向に移動させる。プッシャ５４は、糊付けローラ１２０と第２用紙載置台６０との間に蓄積された複数の用紙の端部を押す。プッシャ５４は、糊付けローラ１２０と第２用紙載置台６０との間に蓄積された複数の用紙の端部を揃える用紙揃え機構としても機能し、また、後述する一対の排出ローラに送り出す用紙搬出機構としても機能する。
【００６６】
回動軸６２は、一端が筐体３８に直接固定され、筐体３８に取り付けられた支持ブラケット６４に他端が固定されている。理解を容易にするため、図３では、支持ブラケット６４の外形のみを図示している。第２用紙載置台６０は、上流側端部が回動軸６２を中心に回動可能に筐体３８に支持されている。第２用紙載置台６０は、回動機構６６によって通常は第２用紙載置面６０ａが水平となる初期位置に配置され、糊付けローラ１２０によって下方に押されることにより下方に向けて回動するよう設けられている。
【００６７】
図６（ａ）は、通常時の第２用紙載置台６０および回動機構６６の正面図である。回動機構６６は、コイルスプリング１５０、ブラケット１５２、位置決めブラケット１６０、およびブレーキ機構１７０を有する。付勢部材であるコイルスプリング１５０は、第２用紙載置台６０に上方に回動するよう付勢力を与える。ブラケット１５２は第２用紙載置台６０の下面に取り付けられており、下流側の面にゴムによって成形された緩衝部材１５４が貼り付けられている。位置決めブラケット１６０は筐体３８に固定されており、上流側の面にゴムによって成形された緩衝部材１６２が貼り付けられている。
【００６８】
ブラケット１５２および位置決めブラケット１６０は、緩衝部材１５４および緩衝部材１６２を介してブラケット１５２が位置決めブラケット１６０に当接したときに第２用紙載置面６０ａが水平となるよう第２用紙載置台６０を位置決めする。以下、第２用紙載置面６０ａが水平となるときの第２用紙載置台６０の位置を「初期位置」という。コイルスプリング１５０は、第２用紙載置台６０に対し上方への付勢力を与えることにより、ブラケット１５２を位置決めブラケット１６０に突き当てて、第２用紙載置台６０を初期位置に保持する。
【００６９】
ブレーキ機構１７０は、プレート１７２、回転軸１７４、支持ブロック１７６、ロッド１７８、およびコイルスプリング１７９を有する。プレート１７２は、ブラケット１５２に固定されている。プレート１７２には、ギヤ部１７２ａが設けられている。回転軸１７４は、回転可能に筐体３８に支持されている。回転軸１７４の外周にはギヤ部１７４ａが設けられており、このギヤ部１７４ａがプレート１７２のギヤ部１７２ａと噛み合っている。
【００７０】
支持ブロック１７６は、支持ブラケット６４を介して筐体３８に固定されている。支持ブラケット６４にはロッド１７８が摺動可能に挿入される挿入孔が設けられており、この挿入孔にコイルスプリング１７９とロッド１７８が挿入される。ロッド１７８は、コイルスプリングによって付勢力が与えられ、回転軸１７４の外周面である被押圧面１７４ｂに押し付けられている。
【００７１】
なお、ギヤ部１７４ａと被押圧面１７４ｂとの間にはワンウェイベアリングが設けられている。このため、第２用紙載置台６０が上方に退避するときは、被押圧面１７４ｂがギヤ部１７４ａと共に回転し、被押圧面１７４ｂとロッド１７８との間に摩擦力が生じる。一方、第２用紙載置台６０が下方に進行するときは被押圧面１７４ｂが回転せず、被押圧面１７４ｂとロッド１７８との間の摩擦力の発生を回避している。これにより、第２用紙載置台６０の保持解除による衝撃を緩和しつつ、第２用紙載置台６０の下方への円滑な回動を実現している。
【００７２】
図６（ｂ）は、第２用紙載置台６０が回動したときの第２用紙載置台６０および回動機構６６の正面図である。後述するように糊付けローラ１２０によって第２用紙載置面６０ａが下方に押し付けられると、第２用紙載置台６０が回動軸６２を中心に下方に回動する。これによりブラケット１５２とともにプレート１７２も回動し、回転軸１７４が回転する。このとき、回転軸１７４の外周面とロッド１７８の端面との間に摩擦力が発生し、第２用紙載置台６０の回動速度を緩める。
【００７３】
第２用紙載置台６０は、後述するように所定の保持位置で一旦保持され、その後保持が解除されコイルスプリング１５０の付勢力によって初期位置に向けて回動する。このようにブレーキ機構１７０を設けることによって、コイルスプリング１５０が初期位置に戻るときにブラケット１５２が位置決めブラケット１６０に突き当たる衝撃を緩和することができる。
【００７４】
図３に戻る。糊付け装置１４は、保持機構７０および保持解除機構７２をさらに備える。保持機構７０は、ラッチピン６１、ラッチ部材９２、回動軸９４、およびコイルスプリング９６を有する。ラッチピン６１は、第２用紙載置台６０の下流側端部に設けられている。回動軸９４は、このラッチピン６１の下方において筐体３８に取り付けられている。ラッチ部材９２は、回動軸９４によって回動可能に支持されている。ラッチ部材９２は、先端が鉤状になるよう凹む係止部９２ａが設けられている。ラッチ部材９２は、係止部９２ａが上流側を向くようラッチピン６１の下流側に配置される。ラッチ部材９２は、第２用紙載置台６０が初期位置にあるときは係止部９２ａとラッチピン６１との係止が解除され、第２用紙載置台６０が下方に回動したときに係止部９２ａがラッチピン６１に係止されるよう設けられる。
【００７５】
コイルスプリング９６は引っ張りバネであり、一端がラッチ部材９２に取り付けられ、他端が筐体３８に取り付けられている。コイルスプリング９６は、上流側に回動させるようラッチ部材９２に付勢力を与える。このコイルスプリング９６の付勢力によって、第２用紙載置台６０がある位置まで回動すると、コイルスプリング９６の付勢力によってラッチ部材９２の係止部９２ａにラッチピン６１が係止される。
【００７６】
保持解除機構７２は、揺動プレート９８、揺動軸１００、第１ピン１０２、第２ピン１０４を有する。揺動軸１００は筐体３８取り付けられている。揺動プレート９８は細長い板状に形成されており、中央部が揺動軸１００に回動可能に支持されている。第１ピン１０２は、糊付けユニット４０の支持ブラケット１１０に取り付けられている。第２ピン１０４は、ラッチ部材９２に取り付けられている。
【００７７】
糊付けユニット４０が下方に進出してからある位置まで上方に退避すると、第１ピン１０２が揺動プレート９８の上方の端部近傍に当接し、さらに糊付けユニット４０が退避すると、第１ピン１０２によってその端部が押されて揺動プレート９８が回動する。この回動によって揺動プレート９８の下方の端部近傍が第２ピン１０４を下流側に押す。これにより、ラッチ部材９２が下流側に回動して係止部９２ａがラッチピン６１から外され、係止状態が解除される。このように保持機構７０は、糊付けローラ１２０が所定位置まで退避したときに、その退避動作に連動して第２用紙載置台６０の保持を解除する。
【００７８】
糊付け装置１４は、ストッパ７４、排出ローラ８０、および排出トレイ８２をさらに備える。ストッパ７４は、第２用紙載置台６０の下流側端部近傍において、第２用紙載置面６０ａよりも上方に進出可能に設けられている。ストッパ７４は、ソレノイド（図示せず）に接続されており、ソレノイドがオンにされることによって第２用紙載置面６０ａよりも上方に進出し、ソレノイドがオフにされることによって第２用紙載置面６０ａよりも下方に退避する。ストッパ７４は、第２用紙載置面６０ａよりも上方に進出したときには、糊付けローラ１２０と第２用紙載置台６０との間に送り込まれた用紙の端部が当接する。
【００７９】
製本処理を実行する場合、一対の搬入ローラ５０は、作成する冊子に含ませるべき用紙を糊付けローラ１２０と第２用紙載置台６０との間に送り込んだ後、作成する冊子に含ませるべき次の用紙を、すでに送り込まれた用紙と糊付けローラ１２０との間に送り込む。駆動機構４４は、送り込まれた用紙の端部がストッパ７４に当接するたびに、その用紙に糊を転写させるよう糊付けローラ１２０を進行させる。なお、後述するように、駆動機構４４は、冊子に含ませる最終用紙には糊の転写を回避すべく、その作動を回避する。
【００８０】
こうして、糊付け装置１４によって、隣接する用紙同士の少なくとも一方に糊が転写された複数の用紙が第１用紙載置面５２ａおよび第２用紙載置面６０ａに積載された状態となる。この複数の用紙は、一対の排出ローラ８０によって糊付けされた個所が圧着して綴じられる。このため一対の排出ローラ８０は、少なくとも一方に糊が転写された複数の用紙を挟持して圧着させる圧着処理を実行する圧着機構として機能する。
【００８１】
以下、図７〜図１０に関連して、まず糊付けユニット４０が進行するときの糊付け装置１４の動作について詳細に説明する。また、図１１〜図１４に関連して、糊付けユニット４０が退避するときの糊付け装置１４の動作について詳細に説明する。
【００８２】
図７は、糊付けユニット４０が退避位置にあるときの糊付け装置１４の正面図である。退避位置とは、糊付けユニット４０が最も上方に退避したときの位置をいう。このとき、第２用紙載置面６０ａは水平となっており、また、押し付け面１４０ａおよび糊付けローラ１２０は、第２用紙載置面６０ａから離間している。なお、第１用紙載置面５２ａおよび第２用紙載置面６０ａには用紙２が載置されているものとする。以下、退避位置から糊付けユニット４０を下降させることを「進行」という。
【００８３】
図８は、押し付け面１４０ａが用紙２に当接するまで糊付けユニット４０を進行させたときの糊付け装置１４の正面図である。図７の状態から駆動機構４４を作動させると、糊付けユニット４０がガイド機構４２によって案内されながら下降する。これにより、中継ブラケット１３０の２つの被押圧面１３０ｃがそれぞれコイルスプリング４８Ａ、４８Ｂによって押され、中継ブラケット１３０が回動を開始する。
【００８４】
コイルスプリング１５０の付勢力に比べ、コイルスプリング４８Ａ、４８Ｂの付勢力は弱く設定されている。このため、押し付け面１４０ａが第２用紙載置面６０ａ上の用紙２に接するまで中継ブラケット１３０が回動すると、さらに糊付けユニット４０が進行しても中継ブラケット１３０は一旦回動を停止する。
【００８５】
図９は、糊付けローラ１２０と第２用紙載置台６０によって用紙の挟持が開始されたときの糊付け装置１４の正面図である。図８の状態からさらに糊付けユニット４０を進行させると、糊付けローラ１２０と第２用紙載置台６０による用紙２の挟持が開始する。このように駆動機構４４は、糊付けローラ１２０および第２用紙載置台６０がそれらの間に送り込まれた用紙を挟持するよう糊付けローラ１２０を進行させる。したがって第２用紙載置台６０は、糊付けローラ１２０と共にそれらの間に送り込まれた用紙を挟持する挟持部材として機能し、第２用紙載置面６０ａは挟持面として機能する。
【００８６】
図１０は、用紙の挟持開始位置よりさらに糊付けユニット４０を進行させたときの糊付け装置１４の正面図である。糊付けローラ１２０は、用紙の挟持開始後さらに進行したときに、第２用紙載置台６０との間に互いに発生する抗力によって第２用紙載置台６０の表面に沿って糊シート１１８の裏面１１８ｂ上を走行するよう設けられる。
【００８７】
具体的には、糊付けローラ１２０は、用紙の挟持開始後さらに進行したときに、第２用紙載置台６０に与える抗力によって初期位置から付勢部材の付勢力に抗して第２用紙載置台６０を回動させる。これによって糊付けローラ１２０は、第２用紙載置台６０の表面に沿って糊シート１１８の裏面１１８ｂ上を転動しながら用紙搬送方向に走行する。このように駆動機構４４は、用紙の挟持開始後さらに糊付けローラ１２０を進行させることにより、糊シート１１８の裏面１１８ｂ上を糊付けローラ１２０に走行させて糊シート１１８の糊付着面１１８ａを用紙に押し付け、用紙に糊を転写させる。
【００８８】
このように糊付けローラ１２０を走行させることによって、用紙へ糊シート１１８を押し付ける押し付け力を確保しつつ用紙に糊を広い範囲で転写させることができる。また、第１の実施形態では、糊付けユニット４０をガイド機構４２の案内方向に進行させるだけで糊付けローラ１２０を用紙搬送方向に走行させることができる。このため、駆動機構４４とは別に糊付けローラ１２０を用紙搬送方向に移動させるための駆動機構を設ける場合に比べ、装置の構成を簡素にすることができる。
【００８９】
また、ガイド機構４２は、第２用紙載置台６０が初期位置にあるときの第２用紙載置面６０ａに、第２用紙載置台６０の回動軸６２から離間するほど近づくよう傾斜する方向に糊付けローラ１２０を案内する。駆動機構４４は、ガイド機構４２の案内方向に糊付けローラ１２０を進行させる。このように傾斜した方向に糊付けローラ１２０を進行させることによって、例えば垂直に糊付けローラ１２０を進行させる場合に比べ、用紙２を挟持しながら糊付けローラ１２０が走行する距離を長くすることができる。このため、糊付けユニット４０の鉛直方向のストローク量を抑制しつつ用紙に糊を広い範囲で転写することができる。糊付けユニット４０が最も下方に進行すると、ラッチ部材９２が微小に回動して第２用紙載置台６０のラッチピン６１がラッチ部材９２の係止部９２ａに収容される。
【００９０】
図１１は、糊付けユニット４０の退避が開始され、第２用紙載置台６０が保持位置で保持されたときの糊付け装置１４の正面図である。糊付けユニット４０を最も下方に進行させると、駆動機構４４は、次に用紙の挟持を解除させるよう糊付けローラ１２０を上方に退避させる。駆動機構４４によって糊付けユニット４０が上方に微小に退避すると、ラッチピン６１が係止部９２ａに係止され、第２用紙載置台６０がその位置で保持される。保持位置とは、ラッチピン６１が係止部９２ａで係止されたときの第２用紙載置台６０の位置をいう。こうして保持機構７０は、糊付けローラ１２０が退避するときに保持位置で第２用紙載置台６０を保持する。
【００９１】
図１２は、第２用紙載置台６０が保持位置に保持されたまま糊付けユニット４０をさらに退避させたときの糊付け装置１４の正面図である。このとき、第２用紙載置台６０は保持機構７０によって保持位置に保持されているため糊付けローラ１２０が第２用紙載置面６０ａから離れていく。このとき用紙押さえ部材１３８は、糊シート１１８から用紙を剥がすよう、保持位置に保持された第２用紙載置台６０に用紙を押さえつける。こうして糊シート１１８の糊付着面１１８ａから用紙２が引き剥がされる。
【００９２】
図１３は、図１２の状態からさらに糊付けユニット４０を退避させたときの糊付け装置１４の正面図である。このとき、押し付け面１４０ａが用紙２から離間し、用紙２への押し付けが解除される。
【００９３】
図１４は、第２用紙載置台６０の保持が解除されたときの糊付け装置１４の正面図である。保持が解除されると、第２用紙載置台６０はコイルスプリング１５０の付勢力によって初期位置まで回動する。このときブレーキ機構１７０は、第２用紙載置台６０が保持位置から初期位置へ戻るときの第２用紙載置台６０の移動速度を緩める緩衝手段として機能する。
【００９４】
糊付けユニット４０が最も上方に退避するとき、予備送りギヤ１２９が予備送りプレート１８０に当接し、予備送りギヤ１２９が小さい角度で回転する。こうして送り出しリール１１２によって糊シート１１８が送られ、同時に送った分の糊シート１１８が巻き取りリール１１４によって巻き取られる。このように予備送りギヤ１２９および予備送りプレート１８０は、糊付けローラ１２０および第２用紙載置台６０が用紙を挟持してから次に用紙を挟持するまでの間に、糊シート１１８のうち糊付けローラ１２０に当接する部分の糊付着面１１８ａに糊が未転写の部分が含まれるよう糊シート１１８を予備的に送る。したがって予備送りギヤ１２９および予備送りプレート１８０は、糊シート１１８を予備的に送る予備送り機構として機能する。
【００９５】
糊シート１１８の糊付着面１１８ａを用紙に押し付けた後、糊シート１１８を用紙から剥がすと、糊シート１１８は糊が転写されるためその部分の粘着力が低下する。このまま次の用紙に糊シート１１８を押し付けて糊付けローラ１２０を糊シート１１８の裏面上を走行させようとすると、用紙と糊シート１１８との間の摩擦力が低下して糊付けローラ１２０とともに糊シート１１８が移動する可能性がある。このように糊シート１１８が糊付けローラ１２０と共に移動すると、糊シート１１８の糊転写済みの表面が用紙上を摺動するだけで糊シート１１８の糊未転写部分を用紙に押し付けることが困難となる。
【００９６】
このように予備送りギヤ１２９および予備送りプレート１８０を設けることによって、糊シート１１８のうち糊が未転写の部分を用紙にまず押し付けることができるため、糊シート１１８と用紙との間の摩擦力を確保することができる。このため、糊付けローラ１２０を走行させるときに糊シート１１８が紙面上を滑って糊が転写されない事態を回避でき、糊付けローラ１２０に糊シート１１８の裏面上を良好に走行させることができる。
【００９７】
図１５は、製本システム１０による製本処理の実行手順を示すフローチャートである。製本システム１０にはコントロールパネル（図示せず）が設けられており、ユーザは、このコントロールパネルを使って、作成したい冊子の数、冊子に含ませる用紙の枚数を入力することができる。システム制御部１６は、こうして入力された冊子の数および冊子に含ませる用紙の枚数を取得する。また、製本システム１０にはスタートボタン（図示せず）が設けられている。システム制御部１６は、このスタートボタンの操作入力を、冊子を作成する製本要求として取得する。したがってシステム制御部１６は、製本要求取得部としても機能する。
【００９８】
本フローチャートにおける処理は、システム制御部１６が製本要求を取得したときに開始し、入力された冊子の数の作成が終了するまで、またはジャムなどのエラーが発生するまで繰り返し実行される。
【００９９】
給紙装置１２は糊付け装置１４に用紙を送り出し、一対の搬入ローラ５０は、糊付けローラ１２０と第２用紙載置台６０との間に用紙を搬入する（Ｓ１０）。すでに第２用紙載置台６０に用紙が積載されている場合、一対の搬入ローラ５０は、その最上位の用紙と糊付けローラ１２０との間に用紙を搬入する。
【０１００】
用紙が搬入されると、システム制御部１６は、プッシャ５４を下流側に移動させて用紙の端部を揃える（Ｓ１２）。一方、システム制御部１６は、給紙装置１２から用紙を送り出すたびに用紙枚数をカウントし、そのカウント値が、冊子に含ませるべき用紙枚数に達したか否かを判定することにより、その用紙が冊子に含ませるべき最終用紙か否かを判定する（Ｓ１４）。最終用紙でない場合（Ｓ１４のＮ）、駆動機構４４は、糊付けユニット４０を下方に進行させて用紙に糊シート１１８の糊を転写する糊付け処理を実行する（Ｓ２０）。
【０１０１】
最終用紙の場合（Ｓ１４のＹ）、駆動機構４４は、最終用紙への糊の転写を回避すべく糊付けローラ１２０の進行を回避し（Ｓ１６）、プッシャ５４は、糊付けローラ１２０と第２用紙載置台６０との間に蓄積された複数の用紙を一対の排出ローラ８０に送り出す。（Ｓ１８）。一対の排出ローラ８０は、送り込まれた複数の用紙に圧着処理を実行する。こうして作成された冊子は、排出トレイ８２に排出され蓄積される。
【０１０２】
なお、給紙装置１２に、給紙トレイ２０に用紙が積載されたことを検知する用紙センサが設けられてもよい。この場合、システム制御部１６は、給紙トレイ２０への用紙の積載が検知されたとき、その検知を製本要求として取得する。システム制御部１６は、給紙トレイ２０から最下位の用紙を順次送り出して糊付けするよう製本システム１０を制御し、給紙トレイ２０から用紙を送り出したときに給紙トレイ２０上に用紙が検知されなくなった場合、その用紙を最終用紙と判定し、その用紙への糊の転写を回避するよう糊付け装置１４を制御する。
【０１０３】
また、最下位の用紙の下面の所定位置の画像を撮像するイメージセンサが設けられていてもよい。システム制御部１６は、イメージセンサによって撮像され生成された画像データを取得し、最終用紙であることを示す画像が用紙に付されているか否かを判定してもよい。システム制御部１６は、最終用紙であることを示す画像が用紙に付されていると判定した場合に、その用紙を最終用紙として判定し、その用紙への糊の転写を回避するよう糊付け装置１４を制御してもよい。このように用紙枚数の入力やスタートボタンの操作入力によらなくても、給紙トレイ２０に用紙を積載するだけで冊子の作成を開始することができる。
【０１０４】
（第２の実施形態）
図１６は、第２の実施形態に係る糊付け装置３００の正面図である。第２の実施形態に係る製本システムの構成は、糊付け装置１４に代えて糊付け装置３００が設けられた以外は第１の実施形態に係る製本システム１０と同様である。また、製本システムの動作も、特に言及しない限り第１の実施形態と同様である。以下、第１の実施形態に係る製本システム１０と同様の個所は同一の符号を付して説明を省略する。
【０１０５】
糊付け装置３００は、糊付けユニット３０１、ガイド機構４２、駆動機構４４、用紙押し付け機構４６、および用紙載置台３２０を有する。用紙載置台３２０は、上述の第１用紙載置台５２と第２用紙載置台６０とを合わせた大きさを有し、第２の実施形態では回動不能となっている。用紙載置台３２０の上面である用紙載置面３２０ａには、給紙装置１２から送り込まれた用紙が載置される。
【０１０６】
糊付けユニット３０１は、支持部材であるである支持ブラケット３０２、および回動ユニット３０４を有する。支持ブラケット３０２は、ガイド機構４２によって案内される方向に駆動機構４４によって進行および退避可能となっている。回動ユニット３０４は、支持プレート３０５上に、送り出しリール１１２、巻き取りリール１１４、および糊付けヘッド１１６が支持されて構成される。糊付けヘッド１１６は、糊付けローラ１２０を含む。支持プレート３０５上におけるこれらの配置は第１の実施形態と同様である。また、送り出しリール１１２に巻回された糊シート１１８は、引き回しローラ１２２、糊付けローラ１２０を介して端部が巻き取りリール１１４に取り付けられる点も第１の実施形態と同様である。また、送り出しリール１１２にプーリ１２４が同軸に固定され、巻き取りリール１１４にプーリ１２６が同軸に固定され、プーリ１２４とプーリ１２６とにベルト１２８が掛けられている点も第１の実施形態と同様である。
【０１０７】
支持ブラケット３０２には、下流側端縁近傍に回動軸３０６が取り付けられている。支持プレート３０５には挿入孔が設けられており、この挿入孔に回動軸３０６が挿入される。これにより支持ブラケット３０２は、回動軸３０６を中心に回動可能に回動ユニット３０４を支持する。
【０１０８】
回動ユニット３０４は、さらに付勢部材であるトーションスプリング３０８を有する。トーションスプリング３０８は、線状のばね部材が中央において巻回されて形成されている。回動軸３０６は、支持プレート３０５の表面から突出するよう設けられている。トーションスプリング３０８は、巻回された部分の開口部に回動軸３０６が挿入されて支持プレート３０５上に配置される。支持ブラケット３０２にはストッパ３１０が設けられており、支持プレート３０５にはストッパ３１２が設けられている。トーションスプリング３０８は、一端がストッパ３１０に当接し、他端がストッパ３１２に当接する。こうしてトーションスプリング３０８は、用紙載置面３２０ａに押し付ける方向に糊付けローラ１２０に付勢力を与える。
【０１０９】
支持ブラケット３０２にはストッパ（図示せず）が設けられている。糊付けローラ１２０が用紙載置面３２０ａに接していないときは、トーションスプリング３０８は、支持ブラケット３０２に対し押し付けるよう支持プレート３０５に付勢力を与える。したがって、このストッパは回動ユニット３０４の位置決め部材として機能する。以下、ストッパによって位置決めされているときの回動ユニット３０４の位置を初期位置という。
【０１１０】
駆動機構４４は、支持ブラケット３０２を進行させることにより、糊付けローラ１２０と用紙載置台３２０とで、用紙載置面３２０ａに載置された用紙を挟持させる。第２の実施形態では、駆動機構４４は、用紙の挟持開始後さらに支持ブラケット３０２を進行させる。これにより糊付けローラ１２０は、用紙載置台３２０から与えられる抗力によって、初期位置からトーションスプリング３０８の付勢力に抗して支持ブラケット３０２に対し回動しながら、用紙載置面３２０ａに沿って糊シート１１８の裏面１１８ｂ上を走行する。このように用紙載置台３２０を回動不能する代わりに回動ユニット３０４を回動可能とすることによっても、支持ブラケット３０２を進行させるという簡易な動作によって、糊付けローラ１２０を走行させて広い面積に糊を転写させることができる。
【０１１１】
なお、第２の実施形態においても、送り出しリール１１２と同軸に予備送りギヤ（図示せず）が固定されており、支持ブラケット３０２に予備送りプレート（図示せず）が設けられている。予備送りギヤは、回動ユニット３０４が初期位置に戻るときに予備送りプレートに当接して回転し、小さい角度で回転する。こうして送り出しリール１１２によって糊シート１１８が送られ、同時に送った分の糊シート１１８が巻き取りリール１１４によって巻き取られる。これにより、糊付けローラ１２０および用紙載置台３２０が用紙を挟持してから次に用紙を挟持するまでの間に、糊シート１１８のうち糊付けローラ１２０に当接する部分の糊付着面１１８ａに糊が未転写の部分が含まれるよう糊シート１１８を送ることができる。
【０１１２】
なお、糊付けユニット３０１を上方に退避させるとき、糊付けローラ１２０は、用紙に転写した糊上を上流側に走行しながら初期位置に戻る。このとき、巻き取りリール１１４が逆回転して糊シート１１８が緩まないように、巻き取りリール１１４にワンウェイクラッチを挿入しておくとよい。あるいは、糊付けユニット３０１の退避開始と同時に糊付けローラ１２０が用紙から離れるように、退避開始段階では回動ユニット３０４の位置をそのまま保持しておき、退避動作中に初期位置に戻るような保持機構を有していてもよい。
【０１１３】
（第３の実施形態）
図１７は、第３の実施形態に係る製本システム４００の正面図である。以下、上述の実施形態と同様の個所は同一の符号を付して説明を省略する。
【０１１４】
製本システム４００は、画像形成装置４０２および糊付け装置１４を備える。画像形成装置４０２は、給紙トレイ４０４および画像形成ユニット４０６を有する。給紙トレイ４０４には、画像が記録されていない用紙が積載される。画像形成ユニット４０６は、給紙トレイ４０４から搬送された用紙に画像を記録する。画像形成装置４０２は、画像が記録された用紙を糊付け装置１４に送り出す。
【０１１５】
第３の実施形態では、画像形成ユニット４０６は、電子写真方式により用紙に画像を記録するよう設けられている。電子写真方式による用紙への画像の記録方向は公知であるため、画像形成ユニット４０６の構成についての説明は省略する。なお、画像形成ユニット４０６は、インクジェット方式またはオフセット印刷方式などによって用紙に画像を記録するよう設けられていてもよい。
【０１１６】
糊付け装置１４には糊付け制御部４１２が設けられており、画像形成装置４０２には画像形成制御部４１４が設けられている。さらに製本システム４００には、これら糊付け制御部４１２および画像形成制御部４１４に接続されたシステム制御部４１０が設けられている。システム制御部４１０、糊付け制御部４１２、および画像形成制御部４１４は、それぞれ各種の演算を実行するＣＰＵ、各種の制御プログラムを格納するＲＯＭ、およびデータ格納やプログラム実行のためのワークエリアとして利用されるＲＡＭを有する。
【０１１７】
システム制御部４１０はハードディスクドライブによる記憶部が設けられており、作成すべき冊子に含ませる用紙に記録する画像データがこの記憶部に格納されている。また、製本システム４００にはコントロールパネル（図示せず）が設けられており、ユーザは、このコントロールパネルを使って、作成したい冊子の数、冊子に含ませる用紙の枚数を入力することができる。このときユーザは、各々の用紙に記録すべき画像データを、記憶部に格納された画像データから指定することが可能となっている。システム制御部１６は、こうして入力された冊子の数および冊子に含ませる用紙の枚数を取得する。また、製本システム１０にはスタートボタン（図示せず）が設けられている。システム制御部４１０は、このスタートボタンの操作入力を、冊子を作成する製本要求として取得する。
【０１１８】
製本要求が取得された場合、システム制御部４１０は、用紙に記録すべき画像データを画像形成制御部４１４に出力し、画像形成制御部４１４は、取得した画像データを用いて用紙に画像を記録するよう画像形成ユニット４０６を制御する。糊付け制御部４１２は、画像が記録されて送り込まれた用紙に糊付け処理を実行するよう糊付け装置１４を制御する。
【０１１９】
システム制御部４１０は、画像形成装置４０２から用紙を送り出すたびに用紙枚数をカウントし、そのカウント値が、冊子に含ませるべき用紙枚数に達したか否かを判定することにより、その用紙が最終用紙か否かを判定する。最終用紙の場合、システム制御部４１０は、画像形成制御部４１４に、冊子に含まれる用紙に糊付けした糊付け部と重なる部分に記録すべきマークの画像データを出力する。画像形成制御部４１４は、取得した画像データを利用して、冊子の糊付け部となる個所にマークを記録する。マークが記録された最終用紙は、糊付け装置１４に送り込まれたあと、糊付け処理を回避して圧着処理が実行される。
【０１２０】
図１８は、第３の実施形態に係る製本システム４００によって作成された冊子４を示す図である。図１８では、糊付けによって肩綴じされた冊子４を例示している。このように糊付けによって綴じられた冊子４は、表面に綴じ針などが露出しないため、ユーザは糊付け部４ａを視認することが困難である。第３の実施形態に係る製本システム４００では、この糊付け部４ａにマーク４２０を記録する。これによりユーザは、マーク４２０が記録された個所が綴じ個所であると容易に認識することができる。このように画像形成装置４０２は、作成された冊子４の表面に糊付け部４ａを示すマーク（目印）が付されるよう用紙に目印を付ける目印付与手段として機能する。
【０１２１】
なお、画像形成装置４０２は、最終用紙に画像を記録する画像形成領域４ｂの外側に糊付け部４ａが位置しているときに糊付け部４ａにマーク４２０が付されるよう、最終用紙にマーク４２０を記録する。画像形成装置４０２は、画像形成領域４ｂの内側に糊付け部４ａが位置しているときは、最終用紙へのマーク４２０の記録を回避する。これによって、画像形成領域４ｂに記録される画像への影響を回避することができる。なお、画像形成装置４０２は、画像形成領域４ｂの内側に糊付け部４ａが位置しているときであっても、画像形成領域４ｂに記録される画像に重ねてマーク４２０の画像を記録してもよい。
【０１２２】
（第４の実施形態）
図１９は、第４の実施形態に係る製本システム５００の正面図である。以下、上述の実施形態と同様の個所は同一の符号を付して説明を省略する。
【０１２３】
製本システム５００は、給紙装置１２および糊付け装置５０１を有する。糊付け装置５０１は、一対の排出ローラ８０に代えて圧着機構５０２、用紙載置台５０４、および一対の排出ローラ５０８が設けられている以外は、第１の実施形態に係る糊付け装置１４と同様に構成される。
【０１２４】
プッシャ５４は、最終用紙以外が糊付けされて重ね合わされた複数の用紙を用紙載置台５０４上且つ圧着機構５０２の下方に送り出す。圧着機構５０２は、送り込まれた複数の用紙を押圧して圧着し、冊子を作成する。作成された冊子は、一対の排出ローラ５０８によって排出トレイ８２に排出される。
【０１２５】
図２０（ａ）および図２０（ｂ）は、第４の実施形態に係る圧着機構５０２の構成および動作を示す図である。圧着機構５０２は、クランク５１０、コネクティングロッド５１２、ピストン５１４、プッシャ５１６、コイルスプリング５１８、およびシリンダ５２０を有する。
【０１２６】
クランク５１０は円盤状に形成され、クランク５１０の中心から外れた部分にコネクティングロッド５１２の一端が回転可能に取り付けられている。コネクティングロッド５１２の他端はピストン５１４に回転可能に取り付けられている。コネクティングロッド５１２は、シリンダ５２０の内部に摺動可能に挿入されている。ピストン５１４の下方には、プッシャ５１６がシリンダ５２０の内部に摺動可能に挿入されている。ピストン５１４とプッシャ５１６は、複数のコイルスプリング５１８を介して互いに連結されている。このプッシャ５１６の下面が、用紙を押圧する押圧面５１４ａとなる。
【０１２７】
図２０（ａ）は、圧着処理実行前の圧着機構５０２の状態を示す図である。圧着処理前では、押圧面５１６ａは、用紙載置台５０４の表面から大きく離間している。一方、ユーザは、コントロールパネルを用いて用紙サイズを入力することが可能となっている。システム制御部１６は、こうして入力された用紙サイズを取得する。システム制御部１６は、取得した用紙サイズを利用して、糊付け部４ａが押圧面５１６ａの下方に位置するよう、冊子４を搬入するときのプッシャ５４の移動量を調整する。
【０１２８】
図２０（ｂ）は、圧着処理中の圧着機構５０２の状態を示す図である。モータが作動すると、クランク５１０が回転してピストン５１４が下降し、これに伴いプッシャ５１６も下降する。これにより、冊子４の糊付け部４ａを含む領域が押圧面５１６ａによって押圧され、冊子４が圧着される。このようにローラではなくプッシャ５１６を用いることによっても、糊付けされた複数の用紙を適切に圧着させることができる。
【０１２９】
（第５の実施形態）
図２１（ａ）および図２１（ｂ）は、第５の実施形態に係る圧着機構６００の構成および動作を示す図である。第５の実施形態に係る製本システムの構成および動作は、圧着機構５０２に代えて圧着機構６００が設けられた以外は、第４の実施形態の実施形態に係る製本システムと同様である。以下、上述の実施形態と同様の個所は同一の符号を付して説明を省略する。
【０１３０】
圧着機構６００は、プッシャ５１６に代えてプッシャ６０２、スタンプ６０４、およびコイルスプリング６０６が設けられた以外は、第４の実施形態に係る圧着機構５０２と同様に構成される。ピストン５１４の下方には、プッシャ６０２がシリンダ５２０の内部に摺動可能に挿入されている。ピストン５１４とプッシャ６０２は、複数のコイルスプリング５１８を介して互いに連結されている。このプッシャ６０２の下面が、用紙を押圧する押圧面６０２ａとなる。
【０１３１】
押圧面６０２ａには、有底孔６０２ｂが設けられている。この有底孔６０２ｂに、円柱状のスタンプ６０４が、摺動可能に挿入されている。スタンプ６０４は、スタンプ面６０４ａが下方を向くように有底孔６０２ｂに挿入されており、スタンプ６０４の上面は、コイルスプリング６０６を介して有底孔６０２ｂの底部と連結されている。
【０１３２】
図２１（ａ）は、圧着処理実行前の圧着機構６００の状態を示す図である。圧着処理前では、押圧面６０２ａは、用紙載置台５０４の表面から大きく離間しており、このときに糊付け部４ａがスタンプ面６０４ａの下方に位置するよう、プッシャ５４によって冊子４が搬入される。
【０１３３】
図２１（ｂ）は、圧着処理中の圧着機構６００の状態を示す図である。モータが作動すると、クランク５１０が回転してピストン５１４が下降し、これに伴いプッシャ６０２も下降する。これにより、冊子４の糊付け部４ａを含む領域が押圧面６０２ａによって押圧され、冊子４が圧着される。このとき、スタンプ６０４のスタンプ面６０４ａによって冊子４の最上位の用紙にスタンプマークが付される。
【０１３４】
図２２は、第５の実施形態に係る製本システムによって作成された冊子４を示す図である。このように圧着機構６００で圧着処理を実行することにより、冊子４の糊付け部４ａに、スタンプマーク６１０を付することができる。これにより、ユーザに糊付け部４ａの個所を容易に視認させることができる。
【０１３５】
（第６の実施形態）
図２３（ａ）および図２３（ｂ）は、第６の実施形態に係る圧着機構７００の構成および動作を示す図である。第６の実施形態に係る製本システムの構成および動作は、圧着機構５０２に代えて圧着機構７００が設けられた以外は、第４の実施形態の実施形態に係る製本システムと同様である。以下、上述の実施形態と同様の個所は同一の符号を付して説明を省略する。
【０１３６】
圧着機構７００は、型７０２が設けられた以外は、第４の実施形態に係る圧着機構５０２と同様に構成される。型７０２は、プッシャ５１６の押圧面５１６ａから下方に突出する突起として設けられている。
【０１３７】
図２３（ａ）は、圧着処理実行前の圧着機構７００の状態を示す図である。圧着処理前では、押圧面５１６ａは、用紙載置台５０４の表面から大きく離間しており、このときに糊付け部４ａが型７０２の下方に位置するよう、冊子４が搬入される。
【０１３８】
図２３（ｂ）は、圧着処理中の圧着機構７００の状態を示す図である。プッシャ５１６が下降して冊子４の糊付け部４ａを含む領域が押圧面５１６ａによって押圧されて冊子４が圧着されとき、型７０２によって冊子４の最上位の用紙およびその下方の用紙に凹みが形成される。
【０１３９】
図２４は、第６の実施形態に係る製本システムによって作成された冊子４を示す図である。このように圧着機構７００で圧着処理を実行することにより、冊子４の糊付け部４ａに、凹み７１０を付けることができる。これにより、ユーザに糊付け部４ａの個所を容易に視認させることができる。
【０１４０】
（第７の実施形態）
図２５は、第７の実施形態に係る製本システム７５０の正面図である。以下、上述の実施形態と同様の個所は同一の符号を付して説明を省略する。
【０１４１】
製本システム７５０は、給紙装置１２および糊付け装置７５１を有する。糊付け装置７５１は、一対の排出ローラ８０と排出トレイ８２との間に切り落とし機構７５２が設けられている以外は、第１の実施形態に係る糊付け装置１４と同様に構成される。
【０１４２】
切り落とし機構７５２は、用紙載置台７５４、上刃７５６、下刃７５８、およびストッパ７６０を有する。用紙載置台７５４には、一対の排出ローラ８０によって冊子が搬入される。ストッパ７６０は、用紙載置台７５４よりも上方に進出可能に設けられている。ストッパ７６０はソレノイド（図示せず）に接続されており、ソレノイドがオンにされることによって用紙載置台７５４よりも上方に進出し、ソレノイドがオフにされることによって用紙載置台７５４よりも下方に退避する。
【０１４３】
システム制御部１６は、一対の排出ローラ８０から冊子が送り込まれる前に、ソレノイドをオンにして用紙載置台７５４より上方にストッパ７６０を進出させる。システム制御部１６は、冊子の先端がストッパ７６０に当接するタイミングで一対の排出ローラ８０の回転を停止させ、冊子の搬送を停止させる。
【０１４４】
上刃７５６は、クランク機構（図示せず）を介してモータ（図示せず）に接続されており、モータが作動することにより初期位置からの下降および初期位置への上昇が可能となっている。システム制御部１６は、ストッパ７６０に冊子の先端が当接すると、このモータを作動させて上刃７５６を下降させて冊子のコーナー部を切断する。コーナー部が切断された冊子は、一対の排出ローラ５０８によって排出トレイ８２に排出される。
【０１４５】
図２６は、図２５の視点Ｐから切り落とし機構７５２を見た図である。用紙載置台７５４は、冊子４のコーナー部を切り落とすための凹部７５４ａ、およびストッパ７６０を通過させるための開口部７５４ｂが設けられている。凹部７５４ａは、ストッパ７６０に冊子４の先端が当接したときに、その冊子のコーナー部が凹部７５４ａから突出するように形成される。第７の実施形態では、冊子４の縁部に対して４５度の角度の直線が冊子４のコーナー部を横切るよう、凹部７５４ａが形成されている。
【０１４６】
下刃７５８は、上面が用紙載置台７５４の上面と同一平面上に位置し、刃が凹部７５４ａの縁部と平行となるよう配置される。上刃７５６は、上から見たときに下刃７５８と刃の部分が重なるよう、用紙載置台７５４の上方に配置される。以上の構成により、切り落とし機構７５２は、冊子４の糊付け部４ａ近傍のコーナー部を切り落とすことができる。
【０１４７】
図２７は、第７の実施形態に係る製本システム７５０によって作成された冊子４を示す図である。このように圧着機構７００で圧着処理を実行することにより、冊子４の糊付け部４ａの周辺のコーナー部に面取部４ｃを設けることができる。これにより、ユーザに糊付け部４ａの個所を容易に視認させることができる。
【０１４８】
（第８の実施形態）
図２８は、第８の実施形態に係る糊付け装置９００の正面図である。以下、上述の実施形態と同様の個所は同一の符号を付して説明を省略する。
【０１４９】
糊付け装置９００は、用紙センサ９０２を有し、ストッパ７４に代えてストッパ９０４が設けられ、一対の排出ローラ８０および排出トレイ８２が削除された以外は、第１の実施形態に係る糊付け装置１４と同様に構成される。
【０１５０】
第１の実施形態に係るストッパ７４と異なり、ストッパ９０４は、第２用紙載置面６０ａから上方に突出した状態で筐体３８に固定されている。用紙センサ９０２は、ストッパ９０４よりもわずかに上流側且つ第２用紙載置面６０ａの下方に設けられる。第２用紙載置面６０ａには、用紙センサ９０２による用紙の検知が可能となるよう開口部（図示せず）が設けられており、用紙センサ９０２は、この開口部を通じて用紙を検知する。
【０１５１】
用紙センサ９０２は、糊付けローラ１２０と第２用紙載置台６０との間にユーザによってストッパ９０４に当接するまで用紙が搬入されたときに、用紙の搬入を検知する。システム制御部１６は、用紙の搬入が検知されたときに、糊付けローラ１２０を進行させることにより用紙に糊を転写させるよう駆動機構４４を作動させる。
【０１５２】
このように糊付け装置９００を用いることで、１枚の用紙に簡易に糊付けすることができる。このため、例えば糊付けした用紙を壁などに一時的に貼り付けるなどの用途にこの糊付け装置を利用することが可能となる。また、例えば封筒の折り返し部分の糊付けなどにもこの糊付け装置を利用することが可能となる。
【０１５３】
本発明は上述の各実施形態に限定されるものではなく、各実施形態の各要素を適宜組み合わせたものも、本発明の実施形態として有効である。また、当業者の知識に基づいて各種の設計変更等の変形を各実施形態に対して加えることも可能であり、そのような変形が加えられた実施形態も本発明の範囲に含まれうる。以下、そうした例をあげる。
【０１５４】
ある変形例では、糊付けローラ１２０は固定され、第２用紙載置台６０が回動機構６６と共に糊付けローラ１２０に向かって進行可能に設けられる。このように第２用紙載置台６０を移動する態様としても、相対的な糊付け動作は、上述の実施形態と同様に行うことができる。
【０１５５】
ある変形例では、第２の実施形態に係る糊付けユニット３０１と同様の糊付け装置が、ユーザが手で糊付けするための糊付け装置として設けられる。したがってこの糊付け装置は、糊付けヘッドである糊付けローラ１２０を含む回動ユニット３０４と、回動ユニット３０４を回動可能に支持する支持ブラケット３０２とを有し、ガイド機構４２や駆動機構４４を有しない。ユーザは、支持ブラケット３０２を机の上などの用紙載置面に載置された用紙に押し付けることにより、糊シート１１８の裏面１１８ｂを糊付けローラ１２０に走行させて用紙に糊付けする。糊付けローラ１２０は、机の上などの用紙載置面に載置された用紙に接触後さらに支持ブラケット３０２が用紙に向けて押し付けられたときに、用紙載置面からの抗力によって支持ブラケット３０２に対して回動しながら、用紙載置面の表面に沿って糊シート１１８の裏面１１８ｂ上を走行するよう設けられる。このように駆動機構４４などがない場合においても、支持ブラケット３０２を用紙に押し付けるという簡易な操作によって、糊付けローラ１２０を走行させることにより適切な押圧力で広い範囲にわたって用紙に糊を転写することができる。
【符号の説明】
【０１５６】
１０  製本システム、  １２  給紙装置、  １４  糊付け装置、  １６  システム制御部、  ２０  給紙トレイ、  ３８  筐体、  ４０  糊付けユニット、  ４２  ガイド機構、  ４４  駆動機構、  ４６  用紙押し付け機構、  ５０  搬入ローラ、  ５４  プッシャ、  ６０  第２用紙載置台、  ６０ａ  第２用紙載置面、  ６２  回動軸、  ６６  回動機構、  ７０  保持機構、  ７２  保持解除機構、  ７４  ストッパ、  ８０  排出ローラ、  ９２  ラッチ部材、  ９４  回動軸、  ９８  揺動プレート、  １０２  第１ピン１、  １０４  第２ピン１、  １１０  支持ブラケット、  １１２  送り出しリール、  １１４  巻き取りリール、  １１６  糊付けヘッド、  １１８  糊シート、  １１８ａ  糊付着面、  １１８ｂ  裏面、  １２０  糊付けローラ、  １２９  予備送りギヤ、  １３０  中継ブラケット、  １３２  回動軸、  １３８  用紙押さえ部材、  １４０ａ  押し付け面、  １８０  予備送りプレート。
【図１】
2011136821.tif 000003
【図２】
2011136821.tif 000004
【図３】
2011136821.tif 000005
【図４】
2011136821.tif 000006
【図５】
2011136821.tif 000007
【図６】
2011136821.tif 000008
【図７】
2011136821.tif 000009
【図８】
2011136821.tif 000010
【図９】
2011136821.tif 000011
【図１０】
2011136821.tif 000012
【図１１】
2011136821.tif 000013
【図１２】
2011136821.tif 000014
【図１３】
2011136821.tif 000015
【図１４】
2011136821.tif 000016
【図１５】
2011136821.tif 000017
【図１６】
2011136821.tif 000018
【図１７】
2011136821.tif 000019
【図１８】
2011136821.tif 000020
【図１９】
2011136821.tif 000021
【図２０】
2011136821.tif 000022
【図２１】
2011136821.tif 000023
【図２２】
2011136821.tif 000024
【図２３】
2011136821.tif 000025
【図２４】
2011136821.tif 000026
【図２５】
2011136821.tif 000027
【図２６】
2011136821.tif 000028
【図２７】
2011136821.tif 000029
【図２８】
2011136821.tif 000030